(57)【要約】  空気調和機の室外機であって、筐体と、筐体内に配置される圧縮機と、圧縮機から提供された冷媒を流す室外熱交換器と、室外熱交換器に送風する送風機と、圧縮機を制御する電気品を備えた電気品箱と、圧縮機を、送風機を設置する送風室より隔てる仕切板と、圧縮機の上方に配置され、圧縮機が設置される機械室と電気品箱が設置される電気品室とを区画する電気品台座と、電気品台座の外周形状に沿って筐体の内壁に内部に突出して設けられた電気品台座用の支持部と、を備えるものである。
2017149736.tif 000002
【特許請求の範囲】
【請求項１】
筐体と、
前記筐体内に配置される圧縮機と、
前記圧縮機に冷媒配管を介して接続された室外熱交換器と、
前記室外熱交換器に送風する送風機と、
前記圧縮機を制御する電気品を備えた電気品箱と、
前記筐体内を前記圧縮機が配置される機械室と、前記送風機を設置する送風室とに仕切る仕切板と、
前記圧縮機の上方に配置され、前記機械室と前記電気品箱が設置される電気品室とを区画する電気品台座と、
前記電気品台座の外周形状に沿って前記筐体の内壁から内部に突出して設けられ、前記電気品台座を支持する支持部と、を備える
空気調和機の室外機。
【請求項２】
前記電気品台座は、外周端に緩衝材を備え、
前記支持部は、前記電気品台座の緩衝材を支持する請求項１に記載の空気調和機の室外機。
【請求項３】
前記緩衝材は、前記電気品台座の前記筐体の内壁に対向する側面、前記支持部に接触する下面部分、及び上面にわたり連続して設けられている請求項２に記載の空気調和機の室外機。
【請求項４】
前記仕切板の上端には、引っ掛け穴が形成されており、
前記電気品箱は、前記電気品台座の上面に設置され、前記引っ掛け穴に上方から引っ掛かる引っ掛け部を有する請求項１〜３のいずれか一項に記載の空気調和機の室外機。
【請求項５】
前記電気品台座の外周端には、前記電気品室と前記機械室とを貫通し配線を通す切欠きが形成された請求項１〜４のいずれか一項に記載の空気調和機の室外機。
【請求項６】
前記仕切板は、前記圧縮機と前記室外熱交換器とを隔てる、前記機械室に屈曲した熱交換器カバーをさらに備え、
前記熱交換器カバーには冷媒配管を通す配管口が形成されており、前記配管口には配管口緩衝材が備えられた請求項１〜５のいずれか一項に記載の空気調和機の室外機。
【請求項７】
前記熱交換器カバーは、上端部に前記電気品台座の下面に接触して前記電気品箱を支持する折り曲げ部を有する請求項６に記載の空気調和機の室外機。
【発明の詳細な説明】
【技術分野】
【０００１】
この発明は、空気調和機の室外機に関するものであり、圧縮機及び冷媒配管等が収納された機械室から発生する騒音の対策に関するものである。
【背景技術】
【０００２】
空気調和機の室外機において、筐体の内部には、圧縮機を含む冷媒回路を収納する機械室、電気部品を収納する電気品室、及び送風機を収納する送風室等が形成されている。従来の空気調和機の室外機は、送風室と機械室及び電気品室とは仕切られているが、機械室と電気品室とは仕切られていない。このため、機械室で発生した音が電気品室を経由して送風室より室外機の外へ漏れ出てしまい騒音となる場合がる。このような騒音に対して、圧縮機室と電装品室とが仕切板によって区画され、圧縮機の発生する騒音が本体から外部に漏れないようにした空気調和機が開示されている（特許文献１参照）。また、空気調和機の室外機において、送風機室から区画された機械室が、電装箱によって、圧縮機を収納する圧縮機室と、外部と送風機室との間を連通する風路室とに分離されたものが開示されている（特許文献２参照）。特許文献２には、電装箱は一端面が仕切板と接するとともに、室外機の外箱の前後面および側面と接するような形状に形成されていることが開示されている。
【先行技術文献】
【特許文献】
【０００３】
【特許文献１】特開平５−１４１７１３号公報
【特許文献２】実開平６−３５８３５号公報
【発明の概要】
【発明が解決しようとする課題】
【０００４】
文献１、２のように、機械室の騒音は、例えば圧縮機が駆動されたときに生じる振動及び騒音である。そのため、複数に分けて成形された板金等を組み合せて筐体内の空間が仕切られると、機械室から発生する音がそれらの隙間から漏洩し、また振動が伝達されて新たに騒音を発生してしまうという課題がある。【０００５】
この発明は、上記のよう課題を解決するためになされたもので、機械室で発生した騒音の漏洩を低減した空気調和機の室外機を提供することを目的とするものである。
【課題を解決するための手段】
【０００６】
この発明に係る空気調和機の室外機は、筐体と、前記筐体内に配置される圧縮機と、前記圧縮機に冷媒配管を介して接続された室外熱交換器と、前記室外熱交換器に送風する送風機と、前記圧縮機を制御する電気品を備えた電気品箱と、前記筐体内を前記圧縮機が配置される機械室と、前記送風機を設置する送風室とに仕切る仕切板と、前記圧縮機の上方に配置され、前記機械室と前記電気品箱が設置される電気品室とを区画する電気品台座と、前記電気品台座の外周形状に沿って前記筐体の内壁から内部に突出して設けられ、前記電気品台座を支持する支持部と、を備えるものである。
【発明の効果】
【０００７】
この発明の空気調和機の室外機によれば、筐体の支持部によって電気品台座が支持されるので機械室と電気品室とが区画され、機械室からの空気の流れが抑制される。また支持部は、電気品台座の外周形状に沿って筐体内壁に設けられているので、筐体と電気品台座との隙間を少なくして機械室の密閉度を高めることができる。そのため、室外機の外部への騒音漏れが低減される。また、支持部は筐体の内部に突出して設けられているので電気品台座の取付けが容易である。
【図面の簡単な説明】
【０００８】
【図１】本発明の実施の形態１に係る空気調和機の室外機を示す斜視図である。
【図２】本発明の実施の形態１に係る電気品箱と仕切板とを示す斜視図である。
【図３】本発明の実施の形態１に係る電気品台座により区画された電気品室を示す斜視図である。
【図４】本発明の実施の形態１に係る電気品台座の緩衝材貼付位置を示す上面図である。
【図５】本発明の実施の形態１に係る電気品台座の配線用の切欠き位置を示す上面図である。
【図６】本発明の実施の形態１に係る機械室と室外熱交換器とを隔てる熱交換器カバーを示す背面斜視図である。
【図７】本発明の実施の形態１に係る熱交換器カバーで支持された電気品台座を示す部分概略図である。
【発明を実施するための形態】
【０００９】
実施の形態１．
図１は、本発明の実施の形態１に係る空気調和機の室外機を示す斜視図である。図１には、筐体の一部を取り外した室外機１００の内部構成が示される。空気調和機の室外機１００には、外枠を構成する筐体内に、電動機を備えた圧縮機１１と、冷媒流路を切り替える四方弁と、減圧装置と、圧縮機１１から提供された冷媒を流す室外熱交換器１２と、室外熱交換器１２に送風する送風機１３と、圧縮機１１を制御する電気品を備えた電気品箱５等が配置されている。また、室外機１００に設置される圧縮機１１、四方弁、室外熱交換器１２及び減圧装置と、室内機に設置される室内熱交換器とは冷媒配管を介して接続され冷凍サイクルを構成する。
【００１０】
室外機１００の筐体は、正面から見て、上面を構成する天面パネルと、底面を構成する底板と、左側前面及び左側側面を構成するフロントパネルと、左側背面を構成する背面パネルと、機械室前面パネル及び機械室背面パネルとを有する。機械室前面パネルは、筐体の右側前面及び右側側面の前方部分を構成し、機械室背面パネルは、筐体の右側側面の後方部分及び右側背面を構成する。これらの筐体をなすパネルはいずれも板金部品であって、より細かく分解されて構成されていてもよいし、一体的に成形されてもよい。
【００１１】
図１に示すように、底板には、室外機１００の筐体の内部を左右に区画する仕切板４が直立状に設置されている。仕切板４によって、送風機１３を収納する左側の送風室１が、右側に配置される圧縮機１１及び電気品箱５から隔てられる。また、室外機１００は、筐体に着脱可能な電気品台座６を備える。電気品台座６は、上面に電気品箱５を設置して圧縮機１１の上方に配置されると、圧縮機１１が設置される機械室３と電気品箱５が設置される電気品室２とを区画する。
【００１２】
送風室１には、室外熱交換器１２、送風機１３等が設けられる。送風室１は、背面パネル、フロントパネル、仕切板４、天面パネル、及び底板によって囲まれる空間である。室外熱交換器１２は冷媒と外気とを熱交換し、暖房運転時には蒸発器として機能し冷房運転時には凝縮器として機能する。室外熱交換器１２は、たとえば冷媒を通過させる伝熱管と、伝熱管を流れる冷媒と外気との間の伝熱面積を大きくするためのフィンとから構成されており、平板領域と曲面領域とを有し横断面が略Ｌ字状に形成されている。室外熱交換器１２は、略Ｌ字形状の長辺部分が送風室１の背面パネルに沿うように配置されている。なお、室外熱交換器１２の形状は略Ｌ字形状のものに限定されない。例えば平板領域のみを有するものであってもよい。
【００１３】
また、送風室１における室外熱交換器１２の長辺部分の前方には、ファン及びファンを回転駆動するファンモータで構成されるプロペラファン等で構成された送風機１３が設置される。送風室１の背面を覆う背面パネルにはほぼ全面に吸気口が設けられている。また、フロントパネルの前面には送風機１３に対応する面に円形形状の排気口が設けられており、フロントパネルの裏面側にはファンの外周を囲むように設けられたベルマウスが形成されている。送風機１３の駆動中には、吸気口から外気が吸引され、室外熱交換器１２及び送風室１の内部を通過してベルマウスによって排気口に導かれ、室外機１００の外へ排出される。
【００１４】
機械室３には、例えば、圧縮機１１と、四方弁と、減圧装置と、冷媒配管群とが配置される。機械室３は、電気品台座６、底板、仕切板４、機械室前面パネル及び機械室背面パネルにより形成される空間である。四方弁は４つのポートを備えており、冷房運転及び暖房運転等の運転状態に応じて４ポートの接続状態を切り替えることで冷媒の流路方向を切り替える。減圧装置は例えば電子膨張弁で構成され冷媒を減圧するものである。冷媒配管群は、例えば、ガス側接続配管と四方弁とをつなぐ冷媒配管、圧縮機１１に接続される吸入配管及び吐出配管、四方弁と室外熱交換器１２とをつなぐ冷媒配管、室外熱交換器１２と減圧装置とをつなぐ冷媒配管、減圧装置と液側接続配管をつなぐ冷媒配管等を総称してこのように呼ぶものとする。
【００１５】
圧縮機１１は、鋼板から成形された上蓋、円筒状容器、及び底蓋から成る密閉容器の内部に、圧縮要素が回転することにより冷媒を圧縮する圧縮機構部と、圧縮機構部の圧縮要素を回転駆動させる電動機部とを備えている。圧縮機１１は例えば高圧シェル形式であり、吸入配管からの冷媒が圧縮機機構部の圧縮要素に流入し、圧縮機構部で圧縮された冷媒ガスは圧縮機構部から密閉容器内に吐出され、密閉容器内と連通する吐出配管へと流出される。また圧縮要素のタイプは、渦巻き状の固定羽の周りを、同形の可動羽が旋回することで、冷媒の吸入と圧縮を行うスクロール式のものを採用している。なお、圧縮機のタイプは特にこれに限定されるものではなく、例えば、シリンダ内の筒状のピストンが回転することで冷媒の吸入と圧縮を行うロータリー式など他のタイプであってもよい。このような圧縮機１１は、防振ゴムを介して底板上に設置され、駆動の際に生じる振動による騒音の発生が抑制されている。
【００１６】
電気品室２には、電気品箱５とヒートシンク等とが設けられる。電気品室２は、天面パネル、電気品台座６、仕切板４、機械室前面パネル及び機械室背面パネルで形成される空間である。電気品箱５は、圧縮機１１及び送風機１３を制御するパワーモジュール、並びにコンデンサ、抵抗、及びトランジスタ等の電気部品が実装された制御基板を収容する。また、電気品箱５の背面側には、放熱フィンを備えたヒートシンクが設置される。仕切板４と機械室前面パネル又は機械室背面パネルには電気品室２の高さに開口が形成されてもよい。送風機１３の稼動中には外気が取り込まれて送風室１へ吸込まれるため、パワーモジュール等の発熱により温まった電気品室２の空気を冷却することができる。
【００１７】
図２は、本発明の実施の形態１に係る電気品箱と仕切板とを示す斜視図である。図２において、電気品台座６の上面には既に電気品箱５が設置され固定されている。なお、電気品台座６は電気品箱５の底面に一体構成されたものであってもよい。
【００１８】
仕切板４には上端に引っ掛け穴４ａが形成されている。電気品箱５は、仕切板４と接する側面の上端に、仕切板４の引っ掛け穴４ａに上方から引っ掛かる引っ掛け部５ａが設けられている。引っ掛け部５ａは例えば、側面の上方から仕切板４に向けて設けられた下向きＵ字状の爪であってもよい。引っ掛け部５ａが引っ掛け穴４ａに引っ掛かることで電気品箱５は筐体内に取付けられる。
【００１９】
図３は、本発明の実施の形態１に係る電気品台座により区画された電気品室を示す斜視図である。図３のように、電気品箱５の引っ掛け部５ａが仕切板４の引っ掛け穴４ａに掛かることで、圧縮機１１の上方に電気品箱５が設置され、電気品台座６によって電気品室２と機械室３とが仕切られる構成となっている。
【００２０】
図４は、本発明の実施の形態１に係る電気品台座の緩衝材貼付位置を示す上面図である。筐体１０の機械室前面パネル１０ａ及び機械室背面パネル１０ｂの内壁には、電気品台座６の外周形状に沿って内部に突出した支持部８が設けられている。また、電気品台座６は外周端６ａに緩衝材６ｂを備えている。平板状の電気品台座６が筐体１０内に取付けられると、支持部８上に緩衝材６ｂが接触し電気品台座６が載置される。そのため緩衝材６ｂは、電気品台座６の外周において、筐体１０の支持部８に当て止めされて接触する面に貼付すればよい。
【００２１】
また、電気品台座６の筐体１０の内壁に対向する側面、支持部８に接触する下面部分、及び上面にわたり連続して緩衝材６ｂを設けてもよい。これより、電気品台座６と筐体１０との隙間を減らすことができ、また板金同士が直接接触しないので、騒音や振動を抑制できる。また例えば、振動により相互に接触することで生じるビビリ音の発生も防止できる。
【００２２】
支持部８は、例えば間隔をあけて数箇所に配置してもよい。また、支持部８は、筐体１０を構成するパネルに沿って連続する水平な板状のものであってもよい。板状のものを採用すれば、機械室３の密閉度が向上し機械室３からの騒音漏れを低減できる。また例えば、機械室前面パネル１０ａの右側側面の前方部分、及び機械室背面パネル１０ｂの右側側面の後方部分に支持部８が設けられた場合、電気品台座６は、仕切板４に接する辺とは対辺の位置で下方から支持部８によって支持される。そのため、電気品台座６及び電気品台座６に設置された電気品箱５は、仕切板４と支持部８とによって室外機１００に安定して設置される。
【００２３】
図５は、本発明の実施の形態１に係る電気品台座の配線用の切欠き位置を示す上面図である。機械室３は、電気品台座６、支持部８、緩衝材６ｂ等により密閉性が保たれている。一方、室外機１００においては室外機駆動用の配線が必要とされる。例えば、電気品箱５から圧縮機１１へ配線を繋げる必要がある。そのため、電気品台座６の外周端６ａには、電気品室２と機械室３とを貫通し配線を通す切欠き６ｃが形成されている。切欠き６ｃにより、機械室３から電気品室２への配線経路が確保される。機械室３から電気品室２に通す配線の太さに合わせた大きさで切欠きを形成すればよい。このように形成すれば配線によって切欠き６ｃの開口は埋められる。また、配線との隙間に弾性の緩衝材を設けて機械室３の密閉性を維持するのが好ましい。
【００２４】
また切欠き６ｃは、例えば図５に示すように、電気品台座６の外周端６ａの前面側又は右側側面の前方部分に形成してもよい。このような位置に設けることで、配線作業が容易になる。具体的には室外機１００の組立て時において、機械室前面パネル１０ａを室外機１００に組付ける前であって電気品台座６を室外機１００に設置した後、電気品箱５と圧縮機１１に配線を接続することができる。接続が完了したら、閉じられていない切欠き６ｃに配線を寄せて前面パネルを取付ければよい。
【００２５】
図６は、本発明の実施の形態１に係る機械室と室外熱交換器とを隔てる熱交換器カバーを示す背面斜視図である。図６には、天面パネル、機械室前面パネル１０ａ、及び機械室背面パネル１０ｂを外した状態の機械室３及び電気品室２の詳細が示される。図６に示すように、室外熱交換器１２は筐体１０の背面側に沿って圧縮機１１の後方まで延在する場合がある。このような場合は、仕切板４の背面側に熱交換器カバー７を設けて、室外熱交換器１２と圧縮機１１とを隔てる。熱交換器カバー７は仕切板４の前方部分よりも機械室側へ屈曲して飛び出た形状となる。つまり熱交換器カバー７は、外気と熱交換が必要な室外熱交換器１２と、騒音漏洩防止のために密閉すべき機械室３とを仕切っている。
【００２６】
また、機械室３には、四方弁と室外熱交換器１２とを接続する冷媒配管１６、及び、減圧装置と室外熱交換器１２とを接続する冷媒配管１６等が設置されている。そのため、熱交換器カバー７には、夫々の冷媒配管１６を通す配管口７ａ、７ｂが形成されている。例えば室外熱交換器１２は、ヘッダーパイプを有しており、機械室３の四方弁と室外熱交換器１２とを接続する冷媒配管１６は、配管口７ａを通ってヘッダーパイプに接続される。ヘッダーパイプは複数の伝熱管に冷媒を分配する。室外熱交換器１２と減圧装置とを接続する冷媒配管１６は配管口７ｂを経由する。これらの配管口７ａ、７ｂは、室外熱交換器１２に繋がる冷媒配管１６が通る最小限の大きさで形成される。また、配管口７ａ、７ｂには、例えばゴム製の配管口緩衝材７ｃが夫々備えられ、配管口７ａ、７ｂを通る冷媒配管１６を固定するとともに、配管口７ａ、７ｂの開口周縁部と密着して隙間を塞ぎ騒音の漏えい及び振動の伝達を低減する。なお、配管口緩衝材７ｃは例えば中央に配線を通す孔を有する環状の緩衝材であってもよい。
【００２７】
図７は、本発明の実施の形態１に係る熱交換器カバーで支持された電気品台座を示す部分概略図である。熱交換器カバー７は、底板から機械室３と電気品室２との境界位置まで室外熱交換器１２を覆っている。また、熱交換器カバー７の一端は仕切板４の前方部分に接続され、残りの一端は機械室背面パネル１０ｂに接続されている。電気品箱５が設置された電気品台座６が室外機１００に取付けられると、熱交換器カバーの上端部に電気品台座６の下面が接触し、電気品台座６及び電気品箱５が下方から支持される。例えば熱交換器カバー７の上端には、上端が機械室側へほぼ９０°折り曲げられた折り曲げ部７ｄが形成されていてもよい。上端が曲げられて形成された水平面の高さは、支持部８とほぼ同じ高さとなるよう構成される。この場合、電気品台座６の下面は折り曲げ部７ｄの水平面に接触して支持される。
【００２８】
以上のように本実施の形態１において空気調和機の室外機１００は、筐体１０と、筐体内に配置される圧縮機１１と、圧縮機１１に冷媒配管を介して接続された室外熱交換器１２と、室外熱交換器１２に送風する送風機１３と、圧縮機１１を制御する電気品を備えた電気品箱５と、筐体内を圧縮機１１が配置される機械室３と、送風機１３を設置する送風室１とに仕切る仕切板４と、圧縮機１１の上方に配置され、機械室３と電気品箱５が設置される電気品室２とを区画する電気品台座６と、電気品台座６の外周形状に沿って筐体１０の内壁から内部に突出して設けられ、電気品台座６を支持する支持部８と、を備えるものである。
【００２９】
これより、電気品台座６は、筐体１０に設けられた支持部８によって支持され、機械室３と電気品室２とを区画するので、圧縮機１１を設置した機械室３から電気品室２への空気の流れを抑制できる。また、支持部８は、電気品台座６の外周形状に沿って筐体１０に設けられているので、筐体１０と電気品台座６との隙間を少なくして機械室３の密閉度を高めることができる。そのため、室外機１００の外部への騒音漏洩を低減できる。また、電気品台座６の室外機１００への取付けが容易となる。
【００３０】
また、電気品台座６は、外周端６ａに緩衝材６ｂを備え、支持部８は、電気品台座６の緩衝材６ｂを支持するものであってもよい。これより、電気品台座６と支持部８との間で生じるビビリ音等を防止できる。また、緩衝材６ｂにより電気品台座６と筐体１０又は支持部８との隙間が少なくなり、騒音漏れを低減できる。また、緩衝材６ｂにより振動が吸収されるため、圧縮機１１で生じた振動の伝達を抑制でき、騒音の低減につながる。
【００３１】
また、緩衝材６ｂは、電気品台座６の筐体１０の内壁に対向する側面、支持部８に接触する下面部分、及び上面にわたり連続して設けられるものであってもよい。これより、板金同士が直接接触するのを回避でき、騒音の発生を防止できる。また、電気品台座６と筐体１０との密着性が高められる。
【００３２】
また、仕切板４の上端には、引っ掛け穴４ａが形成されており、電気品箱５は、電気品台座６の上面に設置され、引っ掛け穴４ａに上方から引っ掛かる引っ掛け部５ａを有するものであってもよい。これより、室外機１００への電気品箱５の載付けが容易となる。また、電気品箱５が設置されて一体となった電気品台座６は、仕切板４に上方から掛かり、仕切板４以外で囲まれた側面においては筐体１０の支持部８で下から支持されるので、室外機１００に安定して取付けられる。
【００３３】
また、電気品台座６の外周端６ａには、電気品室２と機械室３とを貫通し配線を通す切欠き６ｃが形成されてもよい。これより、外周端６ａに切欠き６ｃが設けられるので配線経路が確保され、また配線の作業性が向上する。
【００３４】
また、仕切板４は、圧縮機１１と室外熱交換器１２とを隔てる、機械室に屈曲した熱交換器カバー７をさらに備え、熱交換器カバー７には冷媒配管１６を通す配管口７ａ、７ｂが形成されており、配管口７ａ、７ｂには配管口緩衝材７ｃが備えられたものであってもよい。これより、冷媒配管１６の配管経路が確保されるとともに、振動の伝達及び騒音漏れが抑制される。
【００３５】
また、熱交換器カバー７は、上端部に電気品台座６の下面に接触して電気品箱５を支持する折り曲げ部７ｄを有するものであってもよい。これより、電気品台座６は、背面側においても折り曲げ部７ｄにより支持されるため、室外機１００に安定して取付けられる。また、接触して支持される構造であるため取付けが容易である。
【符号の説明】
【００３６】
１  送風室、２  電気品室、３  機械室、４  仕切板、４ａ  引っ掛け穴、５  電気品箱、５ａ  引っ掛け部、６  電気品台座、６ａ  外周端、６ｂ  緩衝材、６ｃ  切欠き、７  熱交換器カバー、７ａ、７ｂ  配管口、７ｃ  配管口緩衝材、７ｄ  折り曲げ部、８  支持部、１０  筐体、１０ａ  機械室前面パネル、１０ｂ  機械室背面パネル、１１  圧縮機、１２  室外熱交換器、１３  送風機、１６冷媒配管、１００  室外機。
【図１】
2017149736.tif 000003
【図２】
2017149736.tif 000004
【図３】
2017149736.tif 000005
【図４】
2017149736.tif 000006
【図５】
2017149736.tif 000007
【図６】
2017149736.tif 000008
【図７】
2017149736.tif 000009
【手続補正書】
【提出日】平成30年5月30日(2018.5.30)
【手続補正１】
【補正対象書類名】明細書
【補正対象項目名】０００６
【補正方法】変更
【補正の内容】
【０００６】
この発明に係る空気調和機の室外機は、筐体と、前記筐体内に配置される圧縮機と、前記圧縮機に冷媒配管を介して接続された室外熱交換器と、前記室外熱交換器に送風する送風機と、前記圧縮機を制御する電気品を備えた電気品箱と、前記筐体内を前記圧縮機が配置される機械室と、前記送風機を設置する送風室とに仕切る仕切板と、前記圧縮機の上方に配置され、前記機械室と前記電気品箱が設置される電気品室とを区画する電気品台座と、前記電気品台座の上面に設置された前記電気品箱に設けられ、前記仕切板の上端に形成した引っ掛け穴に上方から引っ掛かる引っ掛け部と、前記圧縮機と前記室外熱交換器とを隔てる熱交換器カバーと、前記熱交換器カバーの上端部に形成され、前記電気品台座の下面に接触して前記電気品箱を支持する折り曲げ部とを備えるものである。
【手続補正２】
【補正対象書類名】特許請求の範囲
【補正対象項目名】全文
【補正方法】変更
【補正の内容】
【特許請求の範囲】
【請求項１】
筐体と、
前記筐体内に配置される圧縮機と、
前記圧縮機に冷媒配管を介して接続された室外熱交換器と、
前記室外熱交換器に送風する送風機と、
前記圧縮機を制御する電気品を備えた電気品箱と、
前記筐体内を前記圧縮機が配置される機械室と、前記送風機を設置する送風室とに仕切る仕切板と、
前記圧縮機の上方に配置され、前記機械室と前記電気品箱が設置される電気品室とを区画する電気品台座と、
前記電気品台座の上面に設置された前記電気品箱に設けられ、前記仕切板の上端に形成した引っ掛け穴に上方から引っ掛かる引っ掛け部と、
前記圧縮機と前記室外熱交換器とを隔てる熱交換器カバーと、
前記熱交換器カバーの上端部に形成され、前記電気品台座の下面に接触して前記電気品箱を支持する折り曲げ部と
を備える空気調和機の室外機。
【請求項２】
前記電気品台座は、外周端に緩衝材を備える
請求項１に記載の空気調和機の室外機。
【請求項３】
前記電気品台座の外周形状に沿って前記筐体の内壁から内部に突出して設けられ、前記電気品台座の前記緩衝材を支持する支持部を更に備え、
前記緩衝材は、前記電気品台座の前記筐体の内壁に対向する側面、前記支持部に接触する下面部分、及び上面にわたり連続して設けられている請求項２に記載の空気調和機の室外機。
【請求項４】
前記電気品台座の外周端には、前記電気品室と前記機械室とを貫通し配線を通す切欠きが形成されている請求項１〜３のいずれか一項に記載の空気調和機の室外機。
【請求項５】
前記熱交換器カバーは、前記機械室に屈曲しており、前記熱交換器カバーには、緩衝材が備えられた、冷媒配管を通す配管口が形成されている
請求項１〜４のいずれか一項に記載の空気調和機の室外機。
【国際調査報告】
2017149736.tif 000010
2017149736.tif 000011
2017149736.tif 000012
2017149736.tif 000013